(57)【要約】【課題】無線によるデータ通信機能に加えて、視認可能な各種の文字図形、模様や画像などを表示可能であり、ＲＦＩＤインレットの製造とともに、意匠性ないし審美性を加味可能なＲＦＩＤインレットおよびその製造方法を提供する。【解決手段】エッチング処理により、アンテナ領域７と残余皮膜領域９とを形成し、残余皮膜領域９をフリーデザイン領域１０とすることに着目し、ＲＦＩＤアンテナ６と、ＲＦＩＤアンテナ６に接続するとともに情報を記憶可能なＩＣチップ５と、を有して、無線によるデータ通信が可能なＲＦＩＤインレットであって、金属皮膜４をエッチングすることにより、ＲＦＩＤアンテナ６としてのアンテナ領域７と、アンテナ領域７との間に間隙８をあけた残余皮膜領域９と、を形成し、残余皮膜領域９は、エッチングによって任意のデザインを形成するためのフリーデザイン領域１０としてこれを活用可能としている。【選択図】図２
2015143913.tif 000002
【特許請求の範囲】
【請求項１】
ベースフィルムと、
このベースフィルムに設けたＲＦＩＤアンテナと、
このＲＦＩＤアンテナに接続するとともに情報を記憶可能なＩＣチップと、を有して、無線によるデータ通信が可能なＲＦＩＤインレットであって、
前記ベースフィルムに積層した金属皮膜をエッチングすることにより、前記ＲＦＩＤアンテナとしてのアンテナ領域と、このアンテナ領域との間に間隙をあけた残余皮膜領域と、を形成するとともに、
この残余皮膜領域は、前記エッチングによって任意のデザインを形成するためのフリーデザイン領域としてこれを活用可能としていることを特徴とするＲＦＩＤインレット。
【請求項２】
前記デザインは、前記ＩＣチップが記憶している前記情報に関連していることを特徴とする請求項１記載のＲＦＩＤインレット。
【請求項３】
前記金属皮膜は、前記ベースフィルムの面積の大部分を被覆していることを特徴とする請求項１または２記載のＲＦＩＤインレット。
【請求項４】
前記アンテナ領域は、前記金属被覆の輪郭線に沿ってこれを形成していることを特徴とする請求項１ないし３のいずれかに記載のＲＦＩＤインレット。
【請求項５】
前記アンテナ領域は、前記残余皮膜領域より外周側にこれを形成していることを特徴とする請求項１ないし４のいずれかに記載のＲＦＩＤインレット。
【請求項６】
前記フリーデザイン領域として形成した前記残余皮膜領域による放熱機能を具備していることを特徴とする請求項１ないし５のいずれかに記載のＲＦＩＤインレット。
【請求項７】
前記ＲＦＩＤアンテナとして形成した前記アンテナ領域による放熱機能を具備していることを特徴とする請求項１ないし６のいずれかに記載のＲＦＩＤインレット。
【請求項８】
前記ＲＦＩＤアンテナとして形成した前記アンテナ領域も、任意のデザインを形成するための前記フリーデザイン領域としてこれを活用可能としていることを特徴とする請求項１ないし７のいずれかに記載のＲＦＩＤインレット。
【請求項９】
ベースフィルムと、
このベースフィルムに設けたＲＦＩＤアンテナと、
このＲＦＩＤアンテナに接続するとともに情報を記憶可能なＩＣチップと、を有して、無線によるデータ通信が可能なＲＦＩＤインレットの製造方法であって、
前記ベースフィルムに積層した金属皮膜をエッチングすることにより、前記ＲＦＩＤアンテナとしてのアンテナ領域と、このアンテナ領域との間に間隙をあけてフリーデザイン領域として残余皮膜領域と、を形成するとともに、
前記エッチングによって、この残余皮膜領域に任意のデザインを前記ＲＦＩＤアンテナの形成と同時に形成することを特徴とするＲＦＩＤインレットの製造方法。
【請求項１０】
ベースフィルムと、
このベースフィルムに設けたＲＦＩＤアンテナと、
このＲＦＩＤアンテナに接続するとともに情報を記憶可能なＩＣチップと、を有して、無線によるデータ通信が可能なＲＦＩＤインレットであって、
前記ベースフィルムに導電性インクを塗布することにより、前記ＲＦＩＤアンテナとしてのアンテナ領域と、このアンテナ領域との間に間隙をあけたフリーデザイン領域と、を形成するとともに、
このフリーデザイン領域は、前記導電性インクによって任意のデザインを形成可能としていることを特徴とするＲＦＩＤインレット。
【請求項１１】
ベースフィルムと、
このベースフィルムに設けたＲＦＩＤアンテナと、
このＲＦＩＤアンテナに接続するとともに情報を記憶可能なＩＣチップと、を有して、無線によるデータ通信が可能なＲＦＩＤインレットの製造方法であって、
前記ベースフィルムに導電性インクを塗布することにより、前記ＲＦＩＤアンテナとしてのアンテナ領域と、このアンテナ領域との間に間隙をあけたフリーデザイン領域と、を形成するとともに、
前記導電性インクによって、このフリーデザイン領域に任意のデザインを前記ＲＦＩＤアンテナの形成と同時に形成することを特徴とするＲＦＩＤインレットの製造方法。
【発明の詳細な説明】
【技術分野】
【０００１】
本発明はＲＦＩＤインレットおよびその製造方法にかかるもので、とくにＲＦＩＤ（Ｒａｄｉｏ  Ｆｒｅｑｕｅｎｃｙ  Ｉｄｅｎｔｉｆｉｃａｔｉｏｎ；無線自動認識）技術を応用したＲＦＩＤインレットおよびその製造方法に関するものである。
【背景技術】
【０００２】
従来から、ＲＦＩＤインレットは、ＰＥＴ（ポリエチレンテレフタレート）フィルムその他任意のフィルム材によるベースフィルムと、このベースフィルムに設けたＲＦＩＤアンテナと、このＲＦＩＤアンテナに接続するとともに情報を記憶可能なＩＣチップと、を有して、無線によるデータ通信が可能である。
また、ＲＦＩＤインレットは、記憶可能なデータ量が多いことから、ラベルやタグなどの形態に加工されて各種のシステムや物品の管理業務に使用されている。
【０００３】
一方、データキャリアーとしてのＲＦＩＤインレット自体には、目視可能な情報を表示すること、さらには所定のデザインなどを施した意匠性ないし審美性を付与することは行われていない。
すなわち、必要に応じてあらかじめ所望の情報を印刷した別の紙やフィルムをＲＦＩＤインレットに貼り付ける手法あるいはその他の手法により積層しておくことによって、ＲＦＩＤインレットをＲＦＩＤラベルやＲＦＩＤタグとし、任意の機器に貼り付けることにより、あるいは取り付けることにより、使用者が視認可能な情報を表示することが行われている。
しかしながら、上記別の紙やフィルムによるラベルやタグを貼り間違えると、この視認可能な情報とＲＦＩＤインレット内のＩＣチップに記憶したデータとが異なってしまうという問題がある。
【０００４】
さらには、ラベルやタグの表面における視認可能情報とＩＣチップ内のデータとを故意に異ならせるような偽造その他の不正行為を防止することが困難であるという問題がある。
もちろん、所望の情報を印刷した上記別の紙やフィルムなどによるラベルやタグをあらかじめ準備し、ＲＦＩＤインレットに貼り付けなければならないという手間およびコストの問題もある。
【０００５】
なお、たとえば、高機能ないし多機能携帯端末などに使用されているリチウム電池その他の電池には、その使用にともなって発生する熱を放散するために放熱シートが巻かれている。
ただし、この放熱シートは、主にアルミニウムその他の金属材料から構成されているため、上記携帯端末あるいは上記電池などの管理のためにＲＦＩＤインレットによるラベルあるいはタグを放熱シートに直接接触させた状態では、無線データ通信用の電波を放熱シートが遮断して、ＲＦＩＤインレットがその無線データ通信機能を発揮することができないという問題がある。
【０００６】
したがって、一般的には、電池にＲＦＩＤインレットを貼り付ける場合には、使用する電波の周波数に応じて、たとえばＨＦ帯域（３ＭＨｚ〜３０ＭＨｚ（好ましくは１３．５６ＭＨｚ））であれば、電池とＲＦＩＤインレットとの間に磁性シートを挟み込む必要があり、ＵＨＦ帯域（３００ＭＨｚ〜３ＧＨｚ（好ましくは８６０〜９６０ＭＨｚ））であれば、所定の厚さを有するスペーサーを挟み込む必要がある。
しかしながら、このような磁性シートあるいはスペーサーをＲＦＩＤインレットとともに挟み込んだ構成の電池は、このＲＦＩＤインレットの局部的な厚さの盛り上がりのため、これを当該携帯端末内の限られたスペースに収納することが困難であるとともに、商品としての美観を損ねてしまうという問題がある。
【先行技術文献】
【特許文献】
【０００７】
【特許文献１】特表２００８−５３２２２３号公報
【特許文献２】特開２００７−２６８４４号公報
【発明の概要】
【発明が解決しようとする課題】
【０００８】
本発明は以上のような諸問題にかんがみなされたもので、目視可能な情報を表示することができるＲＦＩＤインレットおよびその製造方法を提供することを課題とする。
【０００９】
また本発明は、無線によるデータ通信機能に加えて、視認可能な各種の文字図形、模様や画像などを表示可能なＲＦＩＤインレットおよびその製造方法を提供することを課題とする。
【００１０】
また本発明は、ＲＦＩＤインレットに別の紙やフィルムなどによる表示用紙を必要としないＲＦＩＤインレットおよびその製造方法を提供することを課題とする。
【００１１】
また本発明は、ＲＦＩＤインレットの製造とともに、意匠性ないし審美性を加味可能なＲＦＩＤインレットおよびその製造方法を提供することを課題とする。
【課題を解決するための手段】
【００１２】
すなわち本発明は、エッチング処理あるいは導電性インクを用いることにより、ＲＦＩＤアンテナとしてのアンテナ領域と、このアンテナ領域との間に間隙をあけた残余皮膜領域と、を形成するとともに、この残余皮膜領域を任意のデザインを形成するためのフリーデザイン領域として活用することに着目したもので、第一の発明は、ベースフィルムと、このベースフィルムに設けたＲＦＩＤアンテナと、このＲＦＩＤアンテナに接続するとともに情報を記憶可能なＩＣチップと、を有して、無線によるデータ通信が可能なＲＦＩＤインレットであって、上記ベースフィルムに積層した金属皮膜をエッチングすることにより、上記ＲＦＩＤアンテナとしてのアンテナ領域と、このアンテナ領域との間に間隙をあけた残余皮膜領域と、を形成するとともに、この残余皮膜領域は、上記エッチングによって任意のデザインを形成するためのフリーデザイン領域としてこれを活用可能としていることを特徴とするＲＦＩＤインレットである。
【００１３】
第二の発明は、ベースフィルムと、このベースフィルムに設けたＲＦＩＤアンテナと、このＲＦＩＤアンテナに接続するとともに情報を記憶可能なＩＣチップと、を有して、無線によるデータ通信が可能なＲＦＩＤインレットの製造方法であって、上記ベースフィルムに積層した金属皮膜をエッチングすることにより、上記ＲＦＩＤアンテナとしてのアンテナ領域と、このアンテナ領域との間に間隙をあけてフリーデザイン領域として残余皮膜領域と、を形成するとともに、上記エッチングによって、この残余皮膜領域に任意のデザインを上記ＲＦＩＤアンテナの形成と同時に形成することを特徴とするＲＦＩＤインレットの製造方法である。
【００１４】
上記デザインは、上記ＩＣチップが記憶している上記情報に関連していることができる。
【００１５】
上記金属皮膜は、上記ベースフィルムの面積の大部分を被覆していることができる。
【００１６】
上記アンテナ領域は、上記金属被覆の輪郭線に沿ってこれを形成していることができる。
【００１７】
上記アンテナ領域は、上記残余皮膜領域より外周側にこれを形成していることができる。
【００１８】
上記フリーデザイン領域として形成した上記残余皮膜領域による放熱機能を具備していることができる。
【００１９】
上記ＲＦＩＤアンテナとして形成した上記アンテナ領域による放熱機能を具備していることができる。
【００２０】
上記ＲＦＩＤアンテナとして形成した上記アンテナ領域も、任意のデザインを形成するための上記フリーデザイン領域としてこれを活用可能としていることができる。
【００２１】
第三の発明は、ベースフィルムと、このベースフィルムに設けたＲＦＩＤアンテナと、このＲＦＩＤアンテナに接続するとともに情報を記憶可能なＩＣチップと、を有して、無線によるデータ通信が可能なＲＦＩＤインレットであって、上記ベースフィルムに導電性インクを塗布することにより、上記ＲＦＩＤアンテナとしてのアンテナ領域と、このアンテナ領域との間に間隙をあけたフリーデザイン領域と、を形成するとともに、このフリーデザイン領域は、上記導電性インクによって任意のデザインを形成可能としていることを特徴とするＲＦＩＤインレットである。
【００２２】
第四の発明は、ベースフィルムと、このベースフィルムに設けたＲＦＩＤアンテナと、このＲＦＩＤアンテナに接続するとともに情報を記憶可能なＩＣチップと、を有して、無線によるデータ通信が可能なＲＦＩＤインレットの製造方法であって、上記ベースフィルムに導電性インクを塗布することにより、上記ＲＦＩＤアンテナとしてのアンテナ領域と、このアンテナ領域との間に間隙をあけたフリーデザイン領域と、を形成するとともに、上記導電性インクによって、このフリーデザイン領域に任意のデザインを上記ＲＦＩＤアンテナの形成と同時に形成することを特徴とするＲＦＩＤインレットの製造方法である。
【発明の効果】
【００２３】
本発明によるＲＦＩＤインレットおよびその製造方法においては、エッチング処理あるいは導電性インクを用いることにより、ＲＦＩＤアンテナとしてのアンテナ領域と、このアンテナ領域との間に間隙をあけた残余皮膜領域ないしはフリーデザイン領域と、を形成するとともに、このフリーデザイン領域に任意のデザインを形成するようにしたので、無線によるデータ通信機能に加えて、各種の視認可能な任意のデータを表示することができる。
【００２４】
とくに第一の発明のＲＦＩＤインレットによれば、エッチング処理により、アンテナ領域と、残余皮膜領域と、を形成するとともに、この残余皮膜領域を任意のデザインを形成するためのフリーデザイン領域として活用するようにしたので、各種の視認可能な任意のデータを表示し、意匠性ないし審美性を備えて、それ自体を情報表示体として使用することができる。
【００２５】
とくに第二の発明のＲＦＩＤインレットの製造方法によれば、エッチングにより、フリーデザイン領域としての残余皮膜領域に任意のデザインをＲＦＩＤアンテナ（アンテナ領域）の形成と同時に形成するようにしたので、ＲＦＩＤインレット自体を効率よく簡易に製造することができる。
【００２６】
とくに第三の発明のＲＦＩＤインレットによれば、導電性インクを用いることにより、アンテナ領域と、フリーデザイン領域と、を形成するとともに、このフリーデザイン領域に任意のデザインを形成するようにしたので、各種の視認可能な任意のデータを表示し、意匠性ないし審美性を備えて、それ自体を情報表示体として使用することができる。
【００２７】
とくに第四の発明のＲＦＩＤインレットの製造方法によれば、導電性インクを用いることにより、フリーデザイン領域に任意のデザインをＲＦＩＤアンテナ（アンテナ領域）の形成と同時に形成するようにしたので、ＲＦＩＤインレット自体を効率よく簡易に製造することができる。
【図面の簡単な説明】
【００２８】
【図１】本発明の第１の実施例によるＲＦＩＤインレット１を製造するためのフィルム状積層体２の斜視図である。
【図２】同、ＲＦＩＤインレット１の平面図である。
【図３】同、図２のＩＩＩ−ＩＩＩ線断面図である。
【図４】同、ＲＦＩＤインレット１を電池１２に巻き付けるように貼り付けた状態を示す概略断面図である。
【図５】本発明の第２の実施例によるＲＦＩＤインレット２０の平面図である。
【図６】本発明の第３の実施例によるＲＦＩＤインレット３０の平面図である。
【図７】本発明の第４の実施例によるＲＦＩＤインレット４０の平面図である。
【発明を実施するための形態】
【００２９】
本発明は、ベースフィルムに積層した金属皮膜をエッチングすることにより、あるいは導電性インクを用いることにより、ＲＦＩＤアンテナとしてのアンテナ領域と、このアンテナ領域との間に間隙をあけた残余皮膜領域ないしはフリーデザイン領域と、を形成するとともに、このフリーデザイン領域に任意のデザインを形成するようにしたので、無線によるデータ通信機能に加えて、各種の視認可能な任意のデータを簡易に表示することができるＲＦＩＤインレットおよびその製造方法を実現した。
【実施例】
【００３０】
つぎに本発明の第１の実施例によるＲＦＩＤインレット１およびその製造方法を図１ないし図４にもとづき説明する。
図１は、ＲＦＩＤインレット１を製造するためのフィルム状積層体２の斜視図、図２は、ＲＦＩＤインレット１の平面図、図３は、図２のＩＩＩ−ＩＩＩ線断面図である。
図１に示すように、フィルム状積層体２は、ベースフィルム３と、このベースフィルム３の上層に積層した金属皮膜４と、を有し、図２に示すように、エッチングによるＲＦＩＤアンテナ６の形成後に、この金属皮膜４（ＲＦＩＤアンテナ６）にＩＣチップ５を電気的に接続する。
【００３１】
ベースフィルム３は、ＰＥＴフィルムその他任意のフィルム材により、ＲＦＩＤインレット１として必要な面積を有する大きさにこれを構成している。
金属皮膜４は、導電性および熱伝導性（放熱性）を有する、たとえば銅、アルミニウム、銀、金その他任意の金属材料からこれを構成している。
ＩＣチップ５は、ＲＦＩＤインレット１を用いる分野に応じて各種の情報を記憶可能なデバイスである。
【００３２】
とくに図２に示すように、ＲＦＩＤインレット１は、ベースフィルム３に設けたＲＦＩＤアンテナ６およびこのＲＦＩＤアンテナ６に接続する上記ＩＣチップ５を有して、電波および電磁的作用などにより、ＲＦＩＤアンテナ６を介してＩＣチップ５に必要なデータの無線による読み取りおよび書き込み（データ通信）が可能である。
ただし、それぞれの使用電波に応じてＩＣチップ５およびＲＦＩＤアンテナ６の具体的構成を適正なものとしている。
とくにＵＨＦ帯域（たとえば、８６０〜９６０ＭＨｚ）の波長を有する電波を使用するものでは、その通信距離が最大５〜１０ｍ程度であり、各種の分野における応用が期待されている。
【００３３】
上記金属皮膜４は、ベースフィルム３の面積の大部分を被覆している。
すなわち、当該ＲＦＩＤインレット１は、ベースフィルム３に積層した金属皮膜４をエッチングすることにより、ベースフィルム３の周縁部に位置するＲＦＩＤアンテナ６としてのアンテナ領域７と、このアンテナ領域７との間に線状のわずかな間隙８をあけてベースフィルム３の中央部に位置する残余皮膜領域９とを、同じ平面上に同時に（同一エッチング工程で）形成している。
【００３４】
ＲＦＩＤアンテナ６は、ＩＣチップ５に接続しているループアンテナ部６Ａおよびダイポールアンテナ部６Ｂを有し、リーダーライター（図示せず）との間の無線データ通信を可能とする。
【００３５】
アンテナ領域７は、ＲＦＩＤインレット１（ベースフィルム３）における残余皮膜領域９より外周側であって、金属被覆４の輪郭線に沿ってこれを形成している。
【００３６】
残余皮膜領域９は、ＲＦＩＤアンテナ６として形成したアンテナ領域７に対して比較的より大きな面積を占めており、任意の機器（たとえば電池など）に巻き付けた際にこの機器から発生した熱を放散する放熱機能も具備している。
【００３７】
ただし、当該ＲＦＩＤインレット１においては、アンテナ領域７および残余皮膜領域９をエッチングする際に、同時に任意のデザインを形成可能なフリーデザイン領域１０として残余皮膜領域９を活用可能としている。
すなわち、フリーデザイン領域１０には、エッチングによるアンテナ領域７および残余皮膜領域９の形成と同時に、使用者の意図に応じて任意の文字や図形その他任意のデザインによる模様や画像を形成し、視認情報表示機能を有する情報表示体としてＲＦＩＤインレット１自体を使用可能である。たとえば、図示の例では、文字１１（「ＡＢＣ」）を白抜き文字として形成している。
この文字図形や模様や画像などのデザインは、ＩＣチップ５に記憶している情報にこれを関連させることができる。
【００３８】
こうした構成のＲＦＩＤインレット１は、ＲＦＩＤインレット１としての一般的な無線データ通信機能はもちろん、残余皮膜領域９による放熱機能、およびフリーデザイン領域１０による視認情報表示機能を具備している。
たとえば、図４は、ＲＦＩＤインレット１を電池１２に巻き付けるように貼り付けた状態を示す概略断面図である。ＲＦＩＤインレット１の貼付けにあたっては、粘着剤あるいは両面テープなどを用いることができる。
ただし図示のように、ＲＦＩＤアンテナ６における一対のダイポールアンテナ部６Ｂの両端部が互いに重ね合わさらないように巻き付けることが必要である。
ＲＦＩＤインレット１は、電池１２に関する各種情報を無線データ通信により読み書き可能であるとともに、電池１２の外周面に接触するように貼り付けているために、電池１２から発生した熱を放散することができる。
【００３９】
しかも、このような両機能（データ通信機能、放熱機能）の兼備により、従来のような放熱シートとの積層による電池１２に対してその積層厚さを増やすことなく、放熱シートそのものに無線データ通信機能を組み込んだことになる。あるいはＲＦＩＤインレット１自体を放熱シートないし放熱ラベルとすることができる。
すなわち、従来のように積層厚さの増加に伴う盛り上がりや美観を損なうことなく、従来の放熱シートないし放熱ラベルを貼り付ける方法と同様に、ＲＦＩＤインレット１を電池１２に貼り付けることができる。
また、ＲＦＩＤインレット１を電池１２に貼り付けるだけで、放熱機能を発揮可能であり、従来の放熱シートの貼付け工程およびＲＦＩＤインレットの貼付け工程の二工程を省いて同一工程で実行可能である。
【００４０】
かくして、従来の放熱シートないし放熱ラベルと同様の取付け作業を行うことにより、ＲＦＩＤインレット１による電池１２のデータ管理機能を付与することができ、放熱シートないし放熱ラベルおよびＲＦＩＤインレット１を一体生産することにより、磁性シートやスペーサーが不必要になることなどから、安価に製造可能である。
【００４１】
また、当該ＲＦＩＤインレット１の製造方法によれば、アンテナ領域７および残余皮膜領域９（フリーデザイン領域１０）、さらには、フリーデザイン領域１０における文字１１（たとえば、「ＡＢＣ」）その他のデザインを、エッチングによって同一工程において同時に形成可能であり、ＲＦＩＤインレット１自体を効率よく簡易に製造することができる。
【００４２】
さらには、残余皮膜領域９をフリーデザイン領域１０として活用することにより、各種機器およびＩＣチップ５内の情報に関連した文字図形や模様や画像などのデザインを利用者が肉眼で確認可能とすることができる。
すなわち、従来からのＲＦＩＤインレットでは、そのデータ通信機能を優先し、ＲＦＩＤアンテナ形状が主であって、そのままでは、何の意匠性ないしは審美性も発揮することが困難であるが、当該ＲＦＩＤインレット１では、利用者の希望に応じてフリーデザイン領域１０に任意のデザインを付与可能である。
したがって、ＲＦＩＤインレット１自体を任意の物品（図示せず）に直貼りしても、この物品にあらかじめ表示されているブランドイメージを損なわずに、意匠性とＲＦＩＤインレット１の利便性（無線によるデータ通信機能）を併せ持つことができる。ＲＦＩＤインレット１を貼り付ける手法としては、ＲＦＩＤインレット１に粘着剤を塗布してＲＦＩＤラベルの形態としたり、両面テープを用いるなど、任意の手法を採用可能である。
さらに、ＲＦＩＤインレット１自体が視認情報表示機能を有するので、従来のように別の紙やフィルムにあらかじめ必要な視認情報を印刷し、ＲＦＩＤインレット１に貼り付けるなどの構成および工程を不要とし、簡易かつ安価に製造可能である。
なお、複数枚のＲＦＩＤインレット１をつなげて帯状のＲＦＩＤ連続体とするとともに、たとえば熱転写プリンター（図示せず）に装填し、その残余皮膜領域９に熱転写インクリボンなどを用いて必要に応じて可変情報を印字することもできる。
【００４３】
また、フリーデザイン領域１０における視認可能な情報（たとえば「ＡＢＣ」という文字１１）を、ＲＦＩＤインレット１内のＩＣチップ５に記憶したデータに関連させておくことにより、これら情報ないしデータを互いに照合可能である。したがって、フリーデザイン領域１０における視認可能情報とＩＣチップ５内のデータとを故意に異ならせるような偽造その他の不正行為を防止することができる。
【００４４】
もちろん、フリーデザイン領域１０には、視認可能な各種文字図形、模様や画像とともに、光学的に読み取り可能な模様や画像などを形成しておき、前記高機能ないし多機能携帯端末などのカメラ機能を用いてこの画像から任意の情報を入手するように構成することもできる。
【００４５】
なおまた、ＲＦＩＤアンテナ２１として形成したアンテナ領域７自体に、連続した任意のデザインを付与形成し、このデザインを視認可能あるいは読み取り可能とすることもできる。
【００４６】
図５は、本発明の第２の実施例によるＲＦＩＤインレット２０の平面図であって、ＲＦＩＤインレット２０は、ＲＦＩＤインレット１（図２）と同様に、フィルム状積層体２（図１）をエッチング処理することにより、ＲＦＩＤアンテナ２１としてのアンテナ領域２２および残余皮膜領域２３（フリーデザイン領域１０）、さらにはフリーデザイン領域１０における視認可能な情報（たとえば「ＡＢＣ」という文字１１）を前記金属皮膜４の同一平面上に同時に形成している。すなわち、アンテナ領域２２および残余皮膜領域２３（フリーデザイン領域１０）は、ともに金属皮膜４からこれを構成している。
図示のように、ＲＦＩＤアンテナ２１は、間隙８をあけて残余皮膜領域２３の周囲を囲むように位置している。
【００４７】
ＲＦＩＤアンテナ２１は、ＩＣチップ５に接続しているループアンテナ部２１Ａおよびブーストアンテナ部２１Ｂを有し、無線データ通信を可能としている。
【００４８】
こうした構成のＲＦＩＤインレット２０も、既述のＲＦＩＤインレット１と同様に、無線データ通信機能および放熱機能さらには視認情報表示機能を兼備し、必要最小限の厚さで各種機器に巻き付ける、あるいは取り付けることができる。
【００４９】
図６は、本発明の第３の実施例によるＲＦＩＤインレット３０の平面図であって、ＲＦＩＤインレット３０は、ＲＦＩＤインレット１（図２）およびＲＦＩＤインレット２０（図５）と同様に、フィルム状積層体２（図１）をエッチング処理することにより、ＲＦＩＤアンテナ３１としてのアンテナ領域３２（フリーデザイン領域１０、後述）および残余皮膜領域３３、さらにはフリーデザイン領域１０における視認可能な情報（たとえば「ＡＢＣ」という文字１１）を金属皮膜４の同一平面上に同時に形成している。すなわち、アンテナ領域３２および残余被覆領域３３は、ともに金属皮膜４からこれを構成している。
なお図示のように、アンテナ領域３２の一部領域（図５中、下方部分）は、残余被覆領域３３と同等ないしそれ以上の面積を有しており、ＲＦＩＤアンテナ３１として形成したアンテナ領域３２によっても放熱機能を具備することができるとともに、この一部領域を前記フリーデザイン領域１０として活用し、「ＡＢＣ」という文字１１などを表示することができる。
【００５０】
ＲＦＩＤアンテナ３１は、ＩＣチップ５に接続しているループアンテナ部３１Ａおよびブーストアンテナ部３１Ｂを有し、無線データ通信を可能としている。
【００５１】
こうした構成のＲＦＩＤインレット３０も、ＲＦＩＤインレット１およびＲＦＩＤインレット２０と同様に、無線データ通信機能および放熱機能さらには視認情報表示機能を兼備し、必要最小限の厚さで各種機器に巻き付ける、あるいは取り付けることができる。
【００５２】
図７は、本発明の第４の実施例によるＲＦＩＤインレット４０の平面図である。
ＲＦＩＤインレット４０は、たとえば、ＲＦＩＤインレット１（図２）などにおけるベースフィルム３（図１）上に導電性インクを用いて、ＲＦＩＤインレット１と同様のパターンを印刷塗布することにより、ベースフィルム３の周縁部に位置するＲＦＩＤアンテナ４１としてのアンテナ領域４２と、このアンテナ領域４２との間に線状のわずかな間隙４３をあけてベースフィルム３の中央部に位置するフリーデザイン領域４４と、を同じ平面上に同時に（同一印刷工程で）形成している。
【００５３】
ＲＦＩＤアンテナ４１は、前記ＩＣチップ５に電気的に接続しているループアンテナ部４１Ａおよびダイポールアンテナ部４１Ｂを有し、リーダーライター（図示せず）との間の無線データ通信を可能とする。
【００５４】
フリーデザイン領域４４は、同じく導電性インクによって任意のデザインを形成可能である。
すなわちフリーデザイン領域４４には、導電性インクの印刷によるアンテナ領域４２およびフリーデザイン領域４４の形成と同時に、使用者の意図に応じて任意の文字や図形その他任意のデザインによる模様や画像を形成し、視認情報表示機能を有する情報表示体としてＲＦＩＤインレット４０自体を使用可能である。たとえば図示の例では、文字４５（「ＸＹＺ」）を白抜き文字として形成している。
この文字図形や模様や画像などのデザインは、ＩＣチップ５に記憶している情報にこれを関連させることができる。
【００５５】
こうした構成のＲＦＩＤインレット４０は、ＲＦＩＤインレット４０としての一般的な無線データ通信機能はもちろん、フリーデザイン領域４４による視認情報表示機能を具備している。
【００５６】
また、当該ＲＦＩＤインレット４０の製造方法によれば、アンテナ領域４２およびフリーデザイン領域４４、さらには、フリーデザイン領域４４における文字４５（たとえば、「ＸＹＺ」）その他のデザインを、導電性インクの印刷によって同一工程において同時に形成可能であり、ＲＦＩＤインレット４０自体を効率よく簡易に製造することができる。
【符号の説明】
【００５７】
１  ＲＦＩＤインレット（第１の実施例、図２）
２  フィルム状積層体（図１）
３  ベースフィルム
４  金属皮膜
５  ＩＣチップ
６  ＲＦＩＤアンテナ
６Ａ  ＲＦＩＤアンテナ６のループアンテナ部
６Ｂ  ＲＦＩＤアンテナ６のダイポールアンテナ部
７  アンテナ領域
８  線状のわずかな間隙
９  残余皮膜領域
１０  フリーデザイン領域
１１  文字（「ＡＢＣ」）
１２  電池
２０  ＲＦＩＤインレット（第２の実施例、図５）
２１  ＲＦＩＤアンテナ
２１Ａ  ＲＦＩＤアンテナ２１のループアンテナ部
２１Ｂ  ＲＦＩＤアンテナ２１のブーストアンテナ部
２２  アンテナ領域
２３  残余皮膜領域
３０  ＲＦＩＤインレット（第３の実施例、図６）
３１  ＲＦＩＤアンテナ
３１Ａ  ＲＦＩＤアンテナ３１のループアンテナ部
３１Ｂ  ＲＦＩＤアンテナ３１のブーストアンテナ部
３２  アンテナ領域
３３  残余被覆領域
４０  ＲＦＩＤインレット（第４の実施例、図７）
４１  ＲＦＩＤアンテナ
４１Ａ  ＲＦＩＤアンテナ４１のループアンテナ部
４１Ｂ  ＲＦＩＤアンテナ４１のダイポールアンテナ部
４２  アンテナ領域
４３  線状のわずかな間隙
４４  フリーデザイン領域
４５  文字（「ＸＹＺ」）
【図１】
2015143913.tif 000003
【図２】
2015143913.tif 000004
【図３】
2015143913.tif 000005
【図４】
2015143913.tif 000006
【図５】
2015143913.tif 000007
【図６】
2015143913.tif 000008
【図７】
2015143913.tif 000009